(57)【特許請求の範囲】
【請求項１】
断熱壁で囲われ、前面に開口部を有した第一の貯蔵室と第二の貯蔵室と、前記第二の貯蔵室の背面側に設けた冷却室と、前記冷却室内に設けた冷却器と、前記冷却器で生成した冷気を前記第一の貯蔵室及び前記第二の貯蔵室へと循環させる冷却ファンと、前記冷却ファンによる冷却風を前記第一の貯蔵室内へと導く第一の吐出風路と、前記冷却ファンによる冷却風を前記第二の貯蔵室内へと導く第二の吐出風路と、前記第一の貯蔵室を冷却した冷却風を前記冷却室へと再び導く第一の戻り風路と、前記第二の貯蔵室を冷却した冷却風を前記冷却室へと再び導く第二の戻り風路と、前記冷却器に付着した霜を解かした水を受ける水受け皿とを設けた冷蔵庫において、前記第一の戻り風路からの冷却風を前記冷却室へと導く第一の開口と、奥行き方向において前記第一の開口と対向する面に設けられた前記第二の戻り風路からの冷却風を前記冷却室へと導く第二の開口とを設け、前記第一の開口と前記第二の開口の間に、前記第一の開口から吐出した冷却風が前記第二の開口から前記第二の戻り風路を逆流して前記第二の貯蔵室内へと流入するのを防止する流入防止壁を備え、前記水受け皿の前記第二の開口側の壁と前記流入防止壁により、前記第二の開口から吐出した冷却風を前記冷却器の方向へと導く冷蔵庫。
【請求項２】
前記流入防止壁は、前記第一の開口から吐出した冷却風を冷却器の方向へと向きを変えることを特徴とした請求項１に記載の冷蔵庫。
【請求項３】
前記第二の戻り風路を冷却室の前面側に設け、前記第一の戻り風路を冷却室の背面側に設けたことを特徴とした請求項１または２に記載の冷蔵庫。
【請求項４】
前記第一の開口と前記第二の開口は、冷却器より鉛直下方側に設けたことを特徴とした請求項１から３のいずれか一項に記載の冷蔵庫。
【請求項５】
前記第一の吐出風路を選択的に閉塞または開放する第一の風路閉塞手段と、前記第二の吐出風路を選択的に閉塞または開放する第二の風路閉塞手段とを設け、前記冷却ファンの運転中は前記第一の閉塞手段と前記第二の閉塞手段を同時に開放しないことを特徴とした請求項１から４のいずれか一項に記載の冷蔵庫。
【請求項６】
第一の貯蔵室の温度が第二の貯蔵室の温度よりも高いことを特徴とした請求項１から５のいずれか一項に記載の冷蔵庫。
【請求項７】
流入防止壁を冷却器の鉛直下方向の投影面以外に設けることを特徴とした請求項１から６のいずれか一項に記載の冷蔵庫。
【請求項８】
流入防止壁と水受け皿の間に嵌合部を設けることを特徴とした請求項１から７のいずれか一項に記載の冷蔵庫。
【請求項９】
第一の吐出風路、第一の戻り風路、第一の閉塞手段及び第二の閉塞手段を内部に備えるとともに、冷却器と第一の貯蔵室内を仕切るカバーを設け、前記カバーと流入防止壁を一体構造とすることを特徴とした請求項５に記載の冷蔵庫。
【請求項１０】
冷却器に付着した霜を解かす加熱手段を設け、第一の開口の高さは前記加熱手段の上端から下端の高さよりも広いことを特徴とした請求項１から９のいずれか一項に記載の冷蔵庫。
【発明の詳細な説明】
【技術分野】
【０００１】
本発明は、冷蔵庫に関し、特に、二つの温度帯を持つ冷蔵庫において、一方の部屋を冷却した戻り空気が、他方の部屋に漏れることを防止する構造に関する。
【背景技術】
【０００２】
図４は、従来の冷蔵庫の冷凍サイクル構成図である。図において、冷凍サイクルは、圧縮機１、凝縮器２、減圧装置３、冷却器４を直列に接続した冷媒回路５、冷却時間の調整などにより２つの温度帯に制御される温度帯の低い冷凍室（図示せず）及び温度帯の高い冷蔵室（図示せず）に冷気を通風させる冷気通風路６により構成される。
【０００３】
冷気通風路６は冷却器４、冷蔵庫内へ冷気を循環させる冷却ファン７、冷凍室、冷蔵室へ選択的に冷気を循環させるため、送風路６ａ及び戻り風路６ｂそれぞれに設けられた冷凍室送風ダンパ８ａ、冷蔵室送風ダンパ９ａ、冷凍室戻りダンパ８ｂ、冷蔵室戻りダンパ９ｂを有している。
【０００４】
このような冷蔵庫において、冷凍室が、ある設定温度以上になり、冷凍室のみを冷却する必要が生じた場合には、冷凍サイクルを運転するために、圧縮機１を運転すると共に、冷却ファン７を運転する。さらに、冷凍室送風ダンパ８ａ及び冷凍室戻りダンパ８ｂを開口し、冷蔵室送風ダンパ９ａ及び冷蔵室戻りダンパ９ｂを閉塞することにより、冷凍室のみを冷却する。
【０００５】
一方、冷蔵室がある設定温度以上になり、冷蔵室のみを冷却する必要が生じた場合には、冷蔵室送風ダンパ９ａ及び冷蔵室戻りダンパ９ｂを開口し、冷凍室送風ダンパ８ａ及び冷凍室戻りダンパ８ｂを閉塞することにより、冷蔵室のみを冷却する。
【０００６】
このように制御することにより、温度帯の高い冷蔵室を冷却する際に、温度帯の低い冷凍室への温度の高い冷気の流入を防止することができ、冷凍室の温度上昇を最小限に抑えることができる冷蔵庫が提案されている（例えば、特許文献１参照）。
【０００７】
また、他の方法として、冷蔵室を冷却した冷気を、冷却器４の背面下段から吸い込ませ、冷凍室側の戻り風路をそれより下方側に開口することにより、冷凍室側への逆流を防止する構成の冷蔵庫も商品化されている。
【先行技術文献】
【特許文献】
【０００８】
【特許文献１】特開２００４−６９２４５号公報
【発明の概要】
【発明が解決しようとする課題】
【０００９】
しかしながら、上記従来の構成では、冷気の流入を防止するための、冷凍室戻りダンパ８ａ及び冷蔵室戻りダンパ９ａが必要であり、ダンパ追加によるコストアップ、冷蔵庫のダクトが複雑になる、ダンパ及び風路分の容積が必要となるため貯蔵室の容積が小さくなる、可動部品が増えることにより信頼性が低くなるなどの課題があった。
【００１０】
本発明は、ダンパなどの大きな可動部品を追加することなく冷気の流入を防止することにより、貯蔵室の大型化を図りつつ、低コストで信頼性が高く、冷凍室の温度上昇を最小限に抑えた冷蔵庫を提供することを目的とする。
【００１１】
また、吸込口を冷却器４背面に設ける仕様では、冷却器４への着霜による目詰まりを防止するため、フィンアンドチューブ型の冷却器においては、冷却器４下段のフィンピッチを大きくしたり、フィンを無くしたりして対応するため、冷却器４の能力が低くなったり、能力を確保しようとすると冷却器４が大型化し、庫内容積が小さくなるなどの課題がある。
【００１２】
本発明の他の目的は、冷却器４の能力を維持しつつ、冷気の流入を防止することにより、冷却性能が高く、冷凍室の温度上昇を最小限に抑えた冷蔵庫を提供することである。
【課題を解決するための手段】
【００１３】
上記従来の課題を解決するために、本発明の冷蔵庫は、断熱壁で囲われ、前面に開口部を有した第一の貯蔵室と第二の貯蔵室と、前記第二の貯蔵室の背面側に設けた冷却室と、前記冷却室内に設けた冷却器と、前記冷却器で生成した冷気を前記第一の貯蔵室及び前記第二の貯蔵室へと循環させる冷却ファンと、前記冷却ファンによる冷却風を前記第一の貯蔵室内へと導く第一の吐出風路と、前記冷却ファンによる冷却風を前記第二の貯蔵室内へと導く第二の吐出風路と、前記第一の貯蔵室を冷却した冷却風を前記冷却室へと再び導く第一の戻り風路と、前記第二の貯蔵室を冷却した冷却風を前記冷却室へと再び導く第二の戻り風路と、前記冷却器に付着した霜を解かした水を受ける水受け皿とを設けた冷蔵庫において、前記第一の戻り風路からの冷却風を前記冷却室へと導く第一の開口と、奥行き方向において前記第一の開口と対向する面に設けられた前記第二の戻り風路からの冷却風を前記冷却室へと導く第二の開口とを設け、前記第一の開口と前記第二の開口の間に、前記第一の開口から吐出した冷却風が前記第二の開口から前記第二の戻り風路を逆流して前記第二の貯蔵室内へと流入するのを防止する流入防止壁を備え、前記水受け皿の前記第二の開口側の壁と前記流入防止壁により、前記第二の開口から吐出した冷却風を前記冷却器の方向へと導く構成としている。
【００１４】
この構成により、第一の貯蔵室を冷却した冷気が第二の貯蔵室に流入することを、簡単な構成で防止することができ、第二の貯蔵室の温度上昇を抑えることができる。
【発明の効果】
【００１５】
本発明の冷蔵庫は、第一の貯蔵室を冷却した冷気が第二の貯蔵室に流入することを、簡単な構成で防止することができ、第二の貯蔵室の温度上昇を抑えることができるので、低コストで冷却効率を高めた冷蔵庫を提供することができる。
【図面の簡単な説明】
【００１６】
【図１】本発明の実施の形態１における冷蔵庫の縦断面図
【図２】実施の形態１における冷蔵庫のドアを開けた状態の正面図
【図３】実施の形態１における冷蔵庫の戻り風路近傍の断面図
【図４】従来の冷蔵庫の冷凍サイクル構成図
【発明を実施するための形態】
【００１７】
本発明の冷蔵庫は、断熱壁で囲われ、前面に開口部を有した第一の貯蔵室と第二の貯蔵室と、前記第二の貯蔵室の背面側に設けた冷却室と、前記冷却室内に設けた冷却器と、前記冷却器で生成した冷気を前記第一の貯蔵室及び前記第二の貯蔵室へと循環させる冷却ファンと、前記冷却ファンによる冷却風を前記第一の貯蔵室内へと導く第一の吐出風路と、前記冷却ファンによる冷却風を前記第二の貯蔵室内へと導く第二の吐出風路と、前記第一の貯蔵室を冷却した冷却風を前記冷却室へと再び導く第一の戻り風路と、前記第二の貯蔵室を冷却した冷却風を前記冷却室へと再び導く第二の戻り風路と、前記冷却器に付着した霜を解かした水を受ける水受け皿とを設けた冷蔵庫において、前記第一の戻り風路からの冷却風を前記冷却室へと導く第一の開口と、奥行き方向において前記第一の開口と対向する面に設けられた前記第二の戻り風路からの冷却風を前記冷却室へと導く第二の開口とを設け、前記第一の開口と前記第二の開口の間に、前記第一の開口から吐出した冷却風が前記第二の開口から前記第二の戻り風路を逆流して前記第二の貯蔵室内へと流入するのを防止する流入防止壁を備え、前記水受け皿の前記第二の開口側の壁と前記流入防止壁により、前記第二の開口から吐出した冷却風を前記冷却器の方向へと導く構成としている。
【００１８】
この構成により、水受け皿と流入防止壁によって冷蔵室を冷却した冷気を冷却器へとスムーズに導くことができ、流入防止壁を小さくすることができ、より低コストで第二の貯蔵室の温度上昇を抑えることができる。
【００１９】
また、本発明の冷蔵庫は、流入防止壁は、第一の開口から吐出した冷却風を冷却器の方向へと向きを変えることを特徴とした構成としている。
【００２０】
この構成により、第一の貯蔵室を冷却した冷気は、第一の貯蔵室の戻り風路側には流れず、全て冷却器へと流すことができ、より確実に第二の貯蔵室の温度上昇を抑えることができる。
【００２１】
また、本発明の冷蔵庫は、第二の戻り風路を冷却室の前面側に設け、第一の戻り風路を冷却室の背面側に設けたことを特徴とした構成としている。
【００２２】
この構成により、冷却器と断熱壁との間に冷却器よりも温度の高い戻り風路を備えた、断熱性能が高い構成とすることができ、より第二の貯蔵室の温度上昇を抑えることができる。
【００２３】
また、本発明の冷蔵庫は、第一の開口と第二の開口は冷却器より鉛直下方側に設けたことを特徴とした構成としている。
【００２４】
この構成により、戻りの冷気を冷却器の下から吸い込ませることができ、冷却器全体に効率よく冷気を流すことができ、冷蔵庫の冷却効率を高めることができる。
【００２７】
また、本発明の冷蔵庫は、第一の吐出風路を選択的に閉塞、開放する第一の風路閉塞手段と、第二の吐出風路を選択的に閉塞、開放する第二の風路閉塞手段とを設け、冷却ファン運転中は第一の閉塞手段と第二の閉塞手段を同時に開放しないことを特徴とした構成としている。
【００２８】
この構成により、第一の貯蔵室を単独で冷却した冷気が第二の貯蔵室に流入するのを防止することができ、第一の貯蔵室を冷却する際の蒸発温度を高くすることができ、冷凍サイクルの効率を高めることができる。
【００２９】
また、本発明の冷蔵庫は、第一の貯蔵室の温度が第二の貯蔵室の温度よりも高いことを特徴とした構成としている。
【００３０】
この構成により、冷却器と断熱壁との間に、より温度の高い冷蔵室からの戻り風路を備えた、断熱性能が高い構成とすることができ、より冷凍室の温度上昇を抑えることができる。
【００３１】
また、本発明の冷蔵庫は、流入防止壁を冷却器の鉛直下方向の投影面以外に設けること
を特徴とした構成としている。
【００３２】
この構成により、冷却器を除霜した際に発生する水が流入防止壁を伝い、冷凍室内へと流れることはない。これにより、冷凍室庫内での異常な霜付き、氷結を防止することができる。
【００３３】
また、本発明の冷蔵庫は、流入防止壁と水受け皿の間に嵌合部を設けることを特徴とした構成としている。
【００３４】
この構成により、流入防止壁と水受け皿の間に隙間を作ることが無く風路を構成でき、流入防止壁と水受け皿の間からの冷気漏れが無く、より冷凍室の温度上昇を抑えることができる。
【００３５】
また、本発明の冷蔵庫は、第一の吐出風路、第一の戻り風路、第一の閉塞手段及び第二の閉塞手段を内部に備えるとともに、冷却器と第一の貯蔵室内を仕切るカバーを設け、カバーと流入防止壁を一体構造とすることを特徴とした構成としている。
【００３６】
この構成により、部品点数を減らすことができる。これにより、低コストで風路を構成することができると共に、組立のバラツキを減らすことができ、より低コストで冷凍室の温度上昇をより抑えることができる。
【００３７】
また、本発明の冷蔵庫は、冷却器に付着した霜を解かす加熱手段を設け、第一の開口の高さは加熱手段の上端から下端の高さよりも広いことを特徴とした構成としている。
【００３８】
この構成により、加熱手段の上下を冷気が流れることにより風路抵抗が小さくなり、冷却ファンの風量低下を抑制することができる。これにより、より冷却効率の高い冷蔵庫とすることができる。
【００３９】
（実施の形態１）
図１は本発明の実施の形態における冷蔵庫の縦断面図である。図２は同実施の形態のドアを開けた状態の正面図である。図３は同実施の形態の戻り風路近傍の断面図である。
【００４０】
図１から図３において、断熱壁で構成された冷蔵庫本体１１は、上部に冷蔵室１２、下部に冷凍室１３を備えており、内部には、圧縮機１、凝縮器（図示せず）、減圧装置（図示せず）、冷却器４からなる冷媒回路を備えている。
【００４１】
冷凍室１３内には内部に冷却器４を収納する冷却室１４を備えており、冷凍室１３庫内と冷却器カバー１５により仕切られている。
【００４２】
冷却器４上方には、冷却器４で生成した冷気を冷蔵室１２及び冷凍室１３へと選択的に循環させる冷却ファン７、冷蔵室送風ダンパ９ａ及び冷凍室送風ダンパ８ａを備えている。
【００４３】
冷蔵室送風ダンパ９ａと冷蔵室１２庫内は冷蔵室吐出風路１６により連通しており、冷蔵室送風ダンパ９ａが開くことにより、冷蔵室１２と冷却室１４が連通する。
【００４４】
冷凍室送風ダンパ８ａと冷凍室１３庫内は冷凍室吐出風路１７により連通しており、冷凍室送風ダンパ８ａが開くことにより、冷凍室１３と冷却室１４が連通する。
【００４５】
冷却室１４の冷却器４より下の部分の背面には冷蔵室吸込口１８を、前面には冷凍室吸
込口１９を備えており、それぞれ、冷却室１４と冷蔵庫本体１１の間に冷却器４とほぼ同じ幅でまたはそれ以上の幅で設けた冷蔵室戻り風路２０及び冷却器カバー１５下部に設けられた冷凍室戻り風路２１とを連通するように開口している。
【００４６】
冷却器４下方には、冷却運転により冷却器４に付着した霜を解かすラジアントヒーターなどの加熱手段２２を冷蔵室吸込口１８の開口の上端と下端の間に設けており、さらにその下方に霜を解かした際に発生する水を外部に排出するための水受け皿２３及び排水パイプ２４を設けている。
【００４７】
また、冷却器カバー１５の下端の冷却器４側には、下方向に凸形状の水切り１５ａを備えている。
【００４８】
冷却器カバー１５下部には、流入防止壁２５を備えている。流入防止壁２５は、長方形の板状の形状をしており、少なくとも冷蔵室吸込口１８の幅よりも広い幅であり、下部に水受け皿２３の手前の壁との嵌合部２５ａを備えており、水受け皿２３との隙間を無くすと共に、流入防止壁２５の位置のバラツキを無くす。
【００４９】
また、流入防止壁２５は下端よりも上端が冷蔵庫本体１１背面側に近くなるように傾斜していると共に、冷却器４の鉛直下方向の投影面よりも前面側の位置に配置されている。
【００５０】
以上のように構成された冷蔵庫について、以下その動作を説明する。
【００５１】
冷蔵庫運転時、庫内温度が上昇し、冷凍室１３の温度が基準温度を超え、冷凍室１３を冷却する必要がある場合、圧縮機１が停止している場合は圧縮機１が運転し、すでに運転している場合は継続して運転し、冷却ファン７が運転すると共に、冷凍室送風ダンパ８ａが開き、冷蔵室送風ダンパ９ａが閉じる。
【００５２】
これにより、冷却器４で生成された冷気は冷凍室送風ダンパ８ａから冷凍室吐出風路１７を流れて冷凍室１３内へと流れることにより冷凍室１３内を冷却する。
【００５３】
この時、冷凍室１３を冷却した冷気は、冷凍室戻り風路２１、冷凍室吸込口１９の順に吸い込まれ、再び冷却器４で冷却されて冷却ファン７により冷凍室送風ダンパ８ａ、冷凍室吐出風路１７から冷凍室１３庫内へと吐出される。
【００５４】
一方、冷蔵室１２の温度が基準温度を超え、冷蔵室１２を冷却する必要がある場合、冷却ファン７が運転すると共に、冷蔵室送風ダンパ９ａが開き、冷凍室送風ダンパ８ａが閉じる。
【００５５】
これにより、冷却器４で生成された冷気は冷蔵室送風ダンパ９ａから冷蔵室吐出風路１６を流れて冷蔵室１２内へと流れることにより、冷蔵室１２内を冷却する。
【００５６】
この時、冷蔵室１２を冷却した冷気は、冷蔵室戻り風路２０、冷蔵室吸込口１８の順に吸い込まれ、流入防止壁２５により冷却器４側へと向きを変えられ、再び冷却器４で冷却されて冷却ファン７により冷蔵室送風ダンパ９ａ、冷蔵室吐出風路１６から冷蔵室１２庫内へと吐出される。
【００５７】
ここで、流入防止壁２５が無かった場合、冷蔵室吸込口１８から吸い込まれた冷気は、水受け皿２３の前面の壁を乗り越えて、冷凍室吸込口１９から冷凍室戻り風路２１を逆流して冷凍室１３内へと流入する。この時、冷蔵室吸込口１８から流入する冷気は、冷蔵室１２を冷却したため冷凍室１３内の温度よりも高くなっており、冷凍室１３の温度が上昇
してしまう。
【００５８】
これに対して、流入防止壁２５がある場合は、冷蔵室吸込口１８から吸い込まれた冷気は、水受け皿２３から流入防止壁２５に沿って流れることにより、流れの方向が冷却器４側へと変えられるため、冷凍室吸込口１９の方向へと流れることはない。
【００５９】
従って、従来例のようなダンパを冷凍室吸込口１９に設けなくても冷蔵室１２冷却中に冷凍室１３が冷蔵室１２を冷却した後の冷気により暖められることが無く、安価な構成で確実に冷凍室１３の温度上昇を抑えることができ、冷却性能の高い冷蔵庫とすることができる。
【００６０】
また、冷蔵室戻り風路２０は冷却室１４と冷蔵庫本体１１の背面の断熱壁との間に冷却器４とほぼ同じ幅またはそれ以上の幅で設けているため、断熱壁を介した外気と冷蔵庫本体１１内の温度差を小さくできるため熱移動が少なくなり断熱効果は高くなるが、冷蔵室戻り風路２０内を流れる冷気は従来の構成に比べて温度が高くなる。
【００６１】
さらに、冷蔵室１２を冷却している時は、冷凍室送風ダンパ８ａを閉じることにより、冷蔵室１２のみに冷気を循環させる構成としており、冷凍室送風ダンパ８ａが無い場合や、冷蔵室１２冷却中に冷凍室送風ダンパ８ａが閉じない場合に比べて冷却器４の温度を高くすることができ、冷蔵室１２冷却中の冷却サイクルの効率は高くなるが、冷蔵室戻り風路２０内を流れる冷気の温度がさらに高くなる。
【００６２】
このような構成においても確実に冷凍室１３への冷気の漏れを防止することができる。
【００６３】
従って、より断熱効果の高い冷蔵庫においても冷凍室１３の温度上昇を抑えることができ、冷却性能の高い冷蔵庫とすることができる。
【００６４】
また、本発明の冷蔵庫においては、冷蔵室吸込口１８と冷凍室吸込口１９は冷却器４よりも下方側で開口している。これにより、冷却器４の下段のフィンを少なくすることなく冷凍室１３への冷気の漏れを防止することができる。
【００６５】
従って、冷却器４の能力を低下させることなく冷凍室１３の温度上昇を抑えることができ、冷却性能の高い冷蔵庫とすることができる。
【００６６】
また、流入防止壁２５は、水受け皿２３と嵌合部２５ａによって固定されており、水受け皿２３と流入防止壁２５によって冷蔵室１２を冷却した冷気を冷却器４へと導くことができる。これにより、水受け皿２３を風路として利用でき、流入防止壁２５を小さくすることができると共に、水受け皿２３との嵌合部２５ａで流入防止壁２５が固定されるため、部品寸法や組み立てのバラツキにより水受け皿２３と流入防止壁２５の間に隙間ができ、冷気が隙間から冷凍室１３内へと漏れることがない。
【００６７】
従って、より安価な構成で、より確実に冷凍室１３の温度上昇を抑えることができ、冷却性能の高い冷蔵庫とすることができる。
【００６８】
また、流入防止壁２５は冷却器カバー１５と一体構造としている。これにより、部品点数を減らすことができるため、より安価に流入防止壁２５を構成することができる。
【００６９】
従って、より安価な構成で冷凍室１３の温度上昇を抑えることができ、冷却性能の高い冷蔵庫とすることができる。
【００７０】
また、冷蔵室吸込口１８は、加熱手段２２よりも高い位置から低い位置までの高さで開口しているため、冷蔵室１２を冷却した冷気は、冷蔵室吸込口１８より吸い込まれ、加熱手段２２よりも低い位置からは、水受け皿２３から流入防止壁２５に沿って冷却器４へと吸い込まれ、加熱手段２２よりも高い位置からは、直接、冷却器４へと吸い込まれる。
【００７１】
これに対し、冷蔵室吸込口１８が加熱手段２２より高い位置のみで開口している場合は冷蔵室吸込口１８からの冷気は冷却器４へと吸い込まれる際に方向が急激に変えられることにより圧力損失が大きくなる。
【００７２】
また、冷蔵室吸込口１８が加熱手段２２より低い位置のみで開口している場合は、冷蔵室吸込口１８から吸い込まれた冷気は全て水受け皿２３から流入防止壁２５へと流れ、風速が速くなるため、冷凍室１３内へ冷気が漏れるのを防止するために、より流入防止壁２５を冷却器４側へ傾ける必要があり、圧力損失が大きくなる。
【００７３】
また、圧力損失を減らすため、加熱手段２２を、冷蔵室吸込口１８から離す構成とする場合は、安全確保のため、加熱手段２２と周囲の部品の距離をある程度取るために、冷却室１４が大きくなり、庫内容積が小さくなってしまう。
【００７４】
従って、庫内容積を減らすことなく、風路の圧力損失を小さく抑えて冷凍室１３の温度上昇を抑えることができ、冷却性能の高い冷蔵庫とすることができる。
【００７５】
また、流入防止壁２５は、冷却器４の鉛直下方向の投影面以外にあるため、冷却器４に付着した霜を解かす動作を行った際に発生する除霜水が流入防止壁２５を伝って冷凍室１３庫内へと漏れ出ることは無い。
【００７６】
さらに、冷却器カバー１５には水切り１５ａを備えており、冷却器４表面で解けた水が冷却器カバー１５を伝って流れてきても、水切り１５ａ部で下方向に落下するため、水が冷却器カバー１５を伝って冷凍室１３内へ漏れ出ることは無い。この時、流入防止壁２５を、上端が水切り１５ａよりも前面側に来るような角度とすることにより、水切り１５ａから落下した水が流入防止壁２５を伝って冷凍室１３内へ漏れ出ることも無い。
【００７７】
従って、冷凍室１３内への水漏れを防止しつつ冷凍室１３の温度上昇を抑えることができ、冷却性能の高い冷蔵庫とすることができる。
【００７８】
尚、本実施の形態において、冷凍室１３を下、冷蔵室１２を上に配置した構成としたが、２つの温度帯を持った冷蔵庫であれば、左右配置でも同様の効果が得られる。
【００７９】
また、本実施の形態においては、冷凍室１３と冷蔵室１２の２つの貯蔵室を持った冷蔵庫で説明したが、２つ以上の貯蔵室を持つ冷蔵庫で冷却室１４の前面と背面に吸込口を持つ冷蔵庫であれば、同様の効果を得られる。
【００８０】
また、本実施の形態においては、圧縮機１を用いた冷媒圧縮式冷凍サイクルによって冷気を生成する仕様で説明したが、冷却器４で冷気を生成する冷凍システムであれば、いかなる冷凍システムであっても同様の効果を得られる。
【産業上の利用可能性】
【００８１】
本発明は、２つの貯蔵室を備える冷蔵庫であって、これらの貯蔵室の冷却を効率よく行う冷蔵庫を提供することができる。従って、本発明は、家庭用および業務用など様々な種類及び大きさの冷蔵庫等として有用である。
【符号の説明】
【００８２】
４  冷却器
７  冷却ファン
８ａ  冷凍室送風ダンパ
９ａ  冷蔵室送風ダンパ
１１  冷蔵庫本体
１２  冷蔵室
１３  冷凍室
１４  冷却室
１５  冷却器カバー
１６  冷蔵室吐出風路
１７  冷凍室吐出風路
１８  冷蔵室吸込口
１９  冷凍室吸込口
２０  冷蔵室戻り風路
２１  冷凍室戻り風路
２２  加熱手段
２３  水受け皿
２５  流入防止壁
２５ａ  嵌合部
【図１】
0005903552.tif 000002
【図２】
0005903552.tif 000003
【図３】
0005903552.tif 000004
【図４】
0005903552.tif 000005